(57)【要約】【課題】多段式の洗浄ノズルが周期的進退動作を行う際の異音を大幅に軽減することができる衛生洗浄装置を提供する。【解決手段】衛生洗浄装置は、スライド可能な複数のシリンダ１００，２００，３００を有する多段式の洗浄ノズル２０と、洗浄ノズル２０の最大延長位置を部材同士の当接で規制する規制手段と、洗浄ノズル２０を収納位置と進出位置との間で進退駆動させるノズル駆動手段と、使用者が設定した洗浄ノズル２０の洗浄水噴出位置Ｐを中心として洗浄ノズル２０を一定範囲内で周期的に進退移動させる進退機能と、を備え、ノズル駆動手段は、収納位置からの進出開始から前記進退機能による動作が開始される前までに少なくとも一度、進退機能による進退移動の距離より長い所定距離Ｌ＋ｘだけ洗浄ノズル２０を進出させた後、所定距離２Ｌ＋ｘだけ洗浄ノズル２０を収納方向へ駆動する動作を行う。【選択図】図８
2007321427.tif 000002
【特許請求の範囲】
【請求項１】
同軸上にスライド可能に配置された複数のシリンダを有する多段式の洗浄ノズルと、前記洗浄ノズルの最大延長位置を部材同士の当接で規制する規制手段と、前記洗浄ノズルを収納位置と進出位置との間で進退移動させるノズル駆動手段と、使用者が設定した前記洗浄ノズルの洗浄水噴出位置に対して前記洗浄ノズルを所定の範囲内で周期的に進退動作させる進退機能と、を備えた衛生洗浄装置において、
前記洗浄ノズルが前記収納位置から進出開始して前記進退機能による前記進退動作が開始されるまでの間若しくは前記進退動作の開始時に、少なくとも一度、前記ノズル駆動手段が、前記進退機能による前記進退動作の範囲よりも前方に所定距離だけ長く前記洗浄ノズルを進出させた後、前記進退機能による前記進退動作を行うことを特徴とする衛生洗浄装置。
【請求項２】
同軸上にスライド可能に配置された複数のシリンダを有する多段式の洗浄ノズルと、前記洗浄ノズルの最大延長位置を部材同士の当接で規制する規制手段と、前記洗浄ノズルを収納位置と進出位置との間で進退移動させるノズル駆動手段と、使用者が設定した前記洗浄ノズルの洗浄水噴出位置に対して前記洗浄ノズルを所定の範囲内で周期的に進退動作させる進退機能と、を備えた衛生洗浄装置において、
前記進退機能による前記洗浄ノズルの前記進退動作に伴う部材接触音の発生を軽減する防音部材を少なくとも前記シリンダの一部に設けたことを特徴とする衛生洗浄装置。
【発明の詳細な説明】
【技術分野】
【０００１】
本発明は、洋式便器に設置される衛生洗浄装置に関する。
【背景技術】
【０００２】
衛生洗浄装置の洗浄ノズルとしては、従来、１本の円筒状部材で形成された単段式のもの、あるいは外径の異なる複数の円筒状部材を同軸上にスライド可能に配置して形成された多段式のものが知られている（例えば、特許文献１参照。）。これらの衛生洗浄装置においては、洗浄水の吐水位置を調節するため、洗浄ノズルの進退機構が設けられている。
【０００３】
【特許文献１】実公平３−３３８１６号公報
【発明の開示】
【発明が解決しようとする課題】
【０００４】
特許文献１に記載されている多段式の洗浄ノズルにおいては、進退動作範囲を規制する手段を設け、洗浄ノズルが最大限進出したとき、即ち、複数の円筒状部材が最も伸びたときに、それ以上円筒状部材が伸びないようにするための規制手段が設けられている。規制手段としては、複数の円筒状部材が最も伸びたときに、各々の円筒状部材に設けられた規制機構が互いに当接することで、それ以上伸出させない構造を持つものがあるが、この構造を持つ洗浄ノズルは、各々の円筒状部材ごとに設定された最大限までの伸出に伴い、当接した部材から接触音が出る。
【０００５】
一方、局部洗浄の際の洗浄感を高める方法として、洗浄ノズルからの吐水による洗浄位置を、洗浄ノズルの進退方向に沿って周期的に進退移動させながら洗浄を行う技術が提案されている。しかし、この周期的進退機能を特許文献１に記載された衛生洗浄装置に利用すると、前述したように、洗浄ノズルの進出に伴う部材同士の当接による接触音が発生するため、周期的な進退動作を行うと、進退動作に伴って接触音が周期的に発生し、使用者に不快感を与えることがある。
【０００６】
そこで、本発明は、多段式の洗浄ノズルが周期的進退動作を行う際の異音を大幅に軽減することができる衛生洗浄装置を提供することにある。
【課題を解決するための手段】
【０００７】
本発明の衛生洗浄装置は、同軸上にスライド可能に配置された複数のシリンダを有する多段式の洗浄ノズルと、前記洗浄ノズルの最大延長位置を部材同士の当接で規制する規制手段と、前記洗浄ノズルを収納位置と進出位置との間で進退移動させるノズル駆動手段と、使用者が設定した前記洗浄ノズルの洗浄水噴出位置に対して前記洗浄ノズルを所定の範囲内で周期的に進退動作させる進退機能と、を備えた衛生洗浄装置において、
前記洗浄ノズルが前記収納位置から進出開始して前記進退機能による前記進退動作が開始されるまでの間若しくは前記進退動作の開始時に、少なくとも一度、前記ノズル駆動手段が、前記進退機能による前記進退動作の範囲よりも前方に所定距離だけ長く前記洗浄ノズルを進出させた後、前記進退機能による前記進退動作を行うことを特徴とする。
【０００８】
このような構成とすれば、進退機能による洗浄ノズルの周期的進退動作に伴って部材同士が当接することがなくなるため、異音を大幅に軽減することができる。
【０００９】
また、本発明の衛生洗浄装置は、同軸上にスライド可能に配置された複数のシリンダを有する多段式の洗浄ノズルと、前記洗浄ノズルの最大延長位置を部材同士の当接で規制する規制手段と、前記洗浄ノズルを収納位置と進出位置との間で進退移動させるノズル駆動手段と、使用者が設定した前記洗浄ノズルの洗浄水噴出位置に対して前記洗浄ノズルを所定の範囲内で周期的に進退動作させる進退機能と、を備えた衛生洗浄装置において、
前記進退機能による前記洗浄ノズルの前記進退動作に伴う部材接触音の発生を軽減する防音部材を少なくとも前記シリンダの一部に設けたことを特徴とする。
【００１０】
このような構成とすれば、進退機能による洗浄ノズルの周期的進退動作に伴って部材同士が接触する際に発生する音は、少なくともシリンダの一部に設けられた防音部材によって軽減されるため、洗浄ノズルが周期的進退動作を行う際の異音を大幅に軽減することができる。
【発明の効果】
【００１１】
本発明により、衛生洗浄装置において多段式の洗浄ノズルが周期的進退動作を行う際の異音を大幅に軽減することができる。
【発明を実施するための最良の形態】
【００１２】
以下、図面に基づいて、本発明の実施の形態について説明する。図１は本発明の実施の形態である衛生洗浄装置を洋式便器上に設置した状態を示す斜視図、図２は図１に示す衛生洗浄装置から便座および便蓋を離脱させた状態を示す斜視図、図３は図１に示す衛生洗浄装置を構成する洗浄ノズルの伸縮動作を示す図、図４は洗浄ノズルが収納された状態を示す模式断面図、図５は洗浄ノズルが進出した状態を示す模式断面図、図６は洗浄ノズル付近を示す一部省略斜視図である。
【００１３】
図１，図２に示すように、本実施形態の衛生洗浄装置１０は、洋式便器１１の上面後部の平坦面１１ｆに設置され、使用者が着座するための便座１２と、洋式便器１１のボウル部１３および便座１３を開閉可能に覆う便蓋１４と、を備えている。衛生洗浄装置１０のケーシング１０ａの前面には、ボウル部１３の開口形状に沿って後方に湾曲した凹曲面部１５が設けられている。この凹曲面部１５の中央部分に、後述する洗浄ノズル２０（図３参照）を出し入れするための開口部１６が設けられている。開口部１６には開閉板１７が設けられ、この開閉板１７の背面側（奥側）に洗浄ノズル２０が伸縮可能に収納されている。
【００１４】
便座１２に着座した使用者が所定の洗浄開始操作を行うと、開閉板１７が開いて開口部１６から、図３〜図６に示す洗浄ノズル２０のヘッドシリンダ１００から第３シリンダ３００までが突出し、その先端部の吐水孔１５０から使用者の局部に向かって洗浄水が吐出される。また、洗浄終了後、使用者が所定の洗浄停止操作を行うと、洗浄水の吐出が停止した後、ヘッドシリンダ１００，第２シリンダ２００および第３シリンダ３００が開口部１６内へ後退し、開口部１６は再び開閉板１７で閉塞される。
【００１５】
衛生洗浄装置１０のケーシング１０ａ内には、図３〜図６に示すように、同軸上にスライド可能に配置された複数のシリンダ（ヘッドシリンダ１００，第２シリンダ２００，第３シリンダ３００，第４シリンダ４００）を有する多段式の洗浄ノズル２０と、駆動モータ６２２の回転をヘッドシリンダ１００に伝達して洗浄ノズル２０を伸展、収縮させる可撓ラック６１０と、駆動モータ２５の回転を可撓ラック６１０の往復動作に変換するギア６２４と、洗浄ノズル２０を伸縮可能に保持するノズル支持台７００と、が設けられている。
【００１６】
洗浄ノズル２０は三段式であり、ヘッドシリンダ１００と、第２シリンダ２００と、第３シリンダ３００と、第４シリンダ４００と、を有している。ヘッドシリンダ１００の先端には、複数の吐水孔１５０が設けられ、便座に着座した使用者の局部に向けて洗浄水を吐出する。ヘッドシリンダ１００は、第２シリンダ２００に対してスライド可能に設けられ、少なくともその一部が第２シリンダ２００内に格納可能である。また、第２シリンダ２００は、第３シリンダ３００に対してスライド可能に設けられ、少なくともその一部が第３シリンダ３００内に格納可能である。同様に、第３シリンダ３００は、第４シリンダ４００に対してスライド可能に設けられ、少なくともその一部が第４シリンダ４００内に格納可能となっている。そして、第４シリンダ４００は、ノズル支持台７００に対して固定されている。なお、第４シリンダ４００は、第３シリンダ３００をスライド可能に保持できる形状、構造であればよいので、必ずしも円筒状である必要はない。また、洗浄ノズル２０を構成するシリンダの個数はこれに限定するものではない。
【００１７】
洗浄ノズル２０を進出、後退させる可撓ラック６１０は、柔軟性を有する合成樹脂材料などで形成され、少なくとも一側面にギア６２４と歯合する凹凸歯が形成されている。また、可撓ラック６１０の内部には、複数の金属線を縒り合わせたケーブルが埋め込まれているため、優れた引張り強度を発揮するとともに、長手方向の圧縮に対する座屈を抑制することができる。
【００１８】
図４，図５に示すように、可撓ラック６１０は、ヘッドシリンダ１００の基端部に固定され、ヘッドシリンダ１００の基端部には、外周方向に突出したストッパ１２０が設けられている。第２シリンダ２００の先端部の内側にはスライダ２１０が設けられ、基端部には外周方向に突出したストッパ２２０が設けられている。ヘッドシリンダ１００はスライダ２１０の内周面に当接した状態で摺動可能に保持されている。ヘッドシリンダ１００が進出すると、そのストッパ１２０が第２シリンダ２００のスライダ２１０と当接することにより、ストローク端が決定される。
【００１９】
また、第３シリンダ３００の先端部の内側にはスライダ３１０が設けられ、基端部には外周方向に突出するストッパ３２０が設けられている。第２シリンダ２００は、スライダ３１０の内周面に当接した状態で摺動可能に保持されている。第２シリンダ２００が進出すると、ストッパ２２０が第３シリンダ３００のスライダ３１０と当接し、そのストローク端が決定される。
【００２０】
さらに、第４シリンダ４００の先端部の内側にはスライダ４１０が設けられ、第３シリンダ３００を摺動可能に保持している。第３シリンダ３００が進出すると、ストッパ３２０が第４シリンダ４００のスライダ４１０と当接し、そのストローク端が決定される。なお、第４シリンダ４００を設けずに、ノズル支持台７００自体が第３シリンダ３００を摺動可能に保持する手段として機能させることもできる。
【００２１】
一方、第２シリンダ２００，第３シリンダ３００の基端部には、可撓ラック６１０に係合する係合機構２３０，３３０がそれぞれ設けられ、収納状態の洗浄ノズル２０の吐水孔１５０が位置する部分にはノズル洗浄室５００が設けられている。ノズル洗浄室５００はノズル支持台７００に固定され、その内部に設けられた吐水口（図示せず）から洗浄ノズル２０に向かって水を噴出することにより、洗浄ノズル２０の吐水孔１５０付近やその外周表面を洗浄することができる。図３（ａ）および図４に示すように、収納状態にある洗浄ノズル２０のヘッドシリンダ１００の先端部は第２シリンダ２００の先端部から突出し、ノズル洗浄室５００内に収容されている。また、図３（ｂ）および図５に示すように、洗浄ノズル２０が進出、後退する場合はノズル洗浄室５００を貫通してスライドする。
【００２２】
図６に示すように、可撓ラック６１０は、ノズル支持台７００に設けられたガイド部６１２に沿って長手方向に摺動可能に支持され、図５に示すように、可撓ラック６１０の先端部は洗浄ノズル２０のヘッドシリンダ１００に固定され、洗浄ノズル２０の基端付近には係合解除部６３０が設けられている。また、ノズル支持台７００には、駆動ユニット６２０が設けられ、駆動モータ６２２の駆動出力を減速させてギア６２４に出力している。可撓ラック６１０をギア６２４に歯合することにより、ギア６２４の回転駆動力が直線方向の駆動力に変換され、洗浄ノズル２０のヘッドシリンダ１００を進出、後退させる。
【００２３】
次に、図７，図８に基づいて、洗浄ノズル２０の進出動作および周期的進退動作について説明する。図７は洗浄ノズル２０の進出状態を示す模式図、図８は洗浄ノズルの周期的進退動作を示す模式図である。
【００２４】
図１に示す便座１２に着座した使用者が所定の洗浄開始操作を行うと、図７（ａ）に示す収納状態にある洗浄ノズル２０が進出を開始するが、この場合、図７（ｂ）に示すように、最初に第３シリンダ３００が進出し、次に図７（ｃ）に示すように、第２シリンダ２００が進出し、最後に図７（ｄ）に示すようにヘッドシリンダ１００が進出する。
【００２５】
この場合、図８（ａ）に示すように、吐水位置が使用者の好みに応じた位置になるようにヘッドシリンダ１００の突出位置を調整する。この後、周期的進退動作をスタートさせると、図８（ｂ）に示すように、ヘッドシリンダ１００は周期的進退動作距離２Ｌの半分である距離Ｌに距離ｘを加えた距離Ｌ＋ｘだけ進出する。そして、図８（ｃ）に示すように、第３シリンダ３００が距離２Ｌ＋ｘだけ後退した後、図８（ｄ）に示すように、第３シリンダ３００が距離２Ｌだけ進出すると、規制手段であるストッパ３２０とスライダ４１０との間に距離ｘの隙間が形成される。この後は、図８（ｅ），図８（ｆ）に示すように、第３シリンダ３００が距離２Ｌの範囲内で周期的進退動作を反復する。
【００２６】
このように、第３シリンダ３００が距離２Ｌの範囲内で周期的進退動作を反復しているとき、規制手段であるストッパ３２０とスライダ４１０との間には常に距離ｘの隙間が確保され、両者が当接することがないため、三段式の洗浄ノズル２０が周期的進退動作を行う際の異音を大幅に軽減することができる。
【００２７】
次に、図９，図１０に基づいて、洗浄ノズルの進退動作に関するその他の実施の形態について説明する。図９はその他の実施の形態である洗浄ノズルの進出動作を示す模式図、図１０は図９に示す洗浄ノズルの周期的進退動作を示す模式図である。
【００２８】
図１に示す便座１２に着座した使用者が所定の洗浄開始操作を行うと、図９（ａ）に示す収納状態にある洗浄ノズル２０が進出を開始するが、この場合、図９（ｂ）に示すように、最初にヘッドシリンダ１００が進出し、次に図９（ｃ）に示すように、第２シリンダ２００が進出し、最後に図９（ｄ）に示すように第３シリンダ３００が進出する。
【００２９】
この場合、図１０（ａ）に示すように、吐水位置が使用者の好みに応じた位置になるように第３シリンダ３００の突出位置を調整する。この後、周期的進退動作をスタートさせると、図１０（ｂ）に示すように、第３シリンダ３００は周期的進退動作距離２Ｌの半分である距離Ｌに距離ｘを加えた距離Ｌ＋ｘだけ進出する。そして、図１０（ｃ）に示すように、ヘッドシリンダ１００が距離２Ｌ＋ｘだけ後退した後、図１０（ｄ）に示すように、ヘッドシリンダ１００が距離２Ｌだけ進出すると、規制手段であるストッパ１２０とスライダ２１０（図５参照）との間に距離ｘの隙間が形成される。この後は、図１０（ｅ），図１０（ｆ）に示すように、ヘッドシリンダ１００が距離２Ｌの範囲内で周期的進退動作を反復する。
【００３０】
このように、ヘッドシリンダ１００が距離２Ｌの範囲内で周期的進退動作を反復しているとき、規制手段であるストッパ１２０とスライダ２１０との間には常に距離ｘの隙間が確保され、両者が当接することがないため、三段式の洗浄ノズル２０が周期的進退動作を行う際の異音を大幅に軽減することができる。
【００３１】
以上の実施形態においては、洗浄ノズル２０を構成する複数のシリンダ（ヘッドシリンダ１００，第２シリンダ２００，第３シリンダ３００）の進出する順番が特定順序に決まっているものについて説明している。このように、本発明は、進出／収納動作が予め決まった順序で行われる多段式の洗浄ノズルを有する衛生洗浄装置であれば広く適用することが可能であり、前述と同様、洗浄ノズルが周期的進退動作を行う際の異音を大幅に軽減することができる。
【００３２】
次に、図１１，図１２に基づいて、洗浄ノズルの進退動作に関するその他の実施の形態について説明する。図１１はその他の実施の形態である洗浄ノズルの進出動作を示す模式図、図１２は図１１に示す洗浄ノズルの周期的進退動作を示す模式図である。
【００３３】
図１に示す便座１２に着座した使用者が所定の洗浄開始操作を行うと、図１１（ａ）に示す収納状態にある洗浄ノズル２０Ｘが進出を開始するが、この場合、図１１（ｂ）に示すように、最初に第３シリンダ３００が進出し、次に図１１（ｃ）に示すように、第２シリンダ２００が進出し、最後に図１１（ｄ）に示すようにヘッドシリンダ１００が進出する。本実施形態では、スライダ４１０に防音部材３０が付設されているため、第３シリンダ３００が進出したとき規制手段であるストッパ３２０は、防音部材３０に当接し、スライダ４１０に直接当接しない。
【００３４】
次に、図１２（ａ）に示すように、吐水位置が使用者の好みに応じた位置になるようにヘッドシリンダ１００の突出位置を調整する。この後、周期的進退動作をスタートさせると、図１２（ｂ）に示すように、ヘッドシリンダ１００は周期的進退動作距離２Ｌの半分である距離Ｌに距離ｘを加えた距離Ｌ＋ｘだけ進出する。そして、図１２（ｃ）に示すように、第３シリンダ３００が距離２Ｌだけ後退した後、図１２（ｄ）に示すように、第３シリンダ３００が距離２Ｌだけ進出すると、規制手段であるストッパ３２０は、スライダ４１０の防音部材３０に当接する。この後は、図８（ｅ）に示すように、第３シリンダ３００が距離２Ｌの範囲内で周期的進退動作を反復する。
【００３５】
このように、第３シリンダ３００が距離２Ｌの範囲内で周期的進退動作を反復しているとき、規制手段であるストッパ３２０とスライダ４１０との間には常に防音部材３０が存在し、両者が当接することがないため、三段式の洗浄ノズル２０Ｘが周期的進退動作を行う際の異音を大幅に軽減することができる。
【００３６】
次に、図１３に基づいて、防音部材に関するその他の実施の形態について説明する。図１３は防音部材に関するその他の実施の形態を示す模式図である。
【００３７】
図１３（ａ）に示す洗浄ノズルにおいては、スライダ４１０に面型の防音部材３０を付設している。図１３（ｂ）に示す洗浄ノズルにおいては、スライダ４１０に突起型の防音部材３１を付設している。図１３（ｃ）に示す洗浄ノズルにおいては、ストッパ３２０に面型の防音部材３０を付設している。図１３（ｄ）に示す洗浄ノズルにおいては、ストッパ３２０に突起型の防音部材３１を付設している。
【００３８】
図１３（ｅ）に示す洗浄ノズルにおいては、ストッパ３２０にこれと同素材の突起部３２０ａを設けるとともに、スライダ４１０に面型の防音部材３０を付設している。図１３（ｆ）に示す洗浄ノズルにおいては、ストッパ３２０に面型の防音部材３０を付設するとともに、スライダ４１０にこれと同素材の突起部４１０ａを設けている。図１３（ｇ）に示す洗浄ノズルにおいては、ストッパ３２０に面型の防音部材３０を付設するとともに、スライダ４１０に突起型の防音部材３１を付設している。図１３（ｈ）に示す洗浄ノズルにおいては、ストッパ３２０に突起型の防音部材３１を付設するとともに、スライダ４１０に面型の防音部材３０を付設している。
【００３９】
防音部材の形状、付設位置は、図１３（ａ）〜（ｈ）に示す実施形態に限定するものではないので、周期的進退動作に伴って接触するおそれのある部材間に防音部材を介在させることにより異音の発生を抑制することができる。また、防音部材の材質も特に限定しないがゴム材などが好適である。
【産業上の利用可能性】
【００４０】
本発明の衛生洗浄装置は、一般住宅や公共設備などの洋式トイレにおいて広く利用することができる。
【図面の簡単な説明】
【００４１】
【図１】本発明の実施の形態である衛生洗浄装置を洋式便器上に設置した状態を示す斜視図である。
【図２】図１に示す衛生洗浄装置から便座および便蓋を離脱させた状態を示す斜視図である。
【図３】図１に示す衛生洗浄装置を構成する洗浄ノズルの伸縮動作を示す図である。
【図４】洗浄ノズルが収納された状態を示す模式断面図である。
【図５】洗浄ノズルが進出した状態を示す模式断面図である。
【図６】洗浄ノズル付近を示す一部省略斜視図である。
【図７】洗浄ノズルの進出動作を示す模式図である。
【図８】洗浄ノズルの周期的進退動作を示す模式図である。
【図９】その他の実施の形態である洗浄ノズルの進出動作を示す模式図である。
【図１０】図９に示す洗浄ノズルの周期的進退動作を示す模式図である。
【図１１】その他の実施の形態である洗浄ノズルの進出動作を示す模式図である。
【図１２】図１１に示す洗浄ノズルの周期的進退動作を示す模式図である。
【図１３】防音部材に関するその他の実施の形態を示す模式図である。
【符号の説明】
【００４２】
１０  衛生洗浄装置
１０ａ  ケーシング
１１  洋式便器
１１ｆ  平坦面
１２  便座
１３  ボウル部
１４  便蓋
１５  凹曲面部
１６  開口部
１７  開閉板
２０，２０Ｘ  洗浄ノズル
２５  駆動モータ
３０，３１  防音部材
１００  ヘッドシリンダ
１２０，２２０，３２０  ストッパ
１５０  吐水孔
２００  第２シリンダ
２１０，３１０，４１０  スライダ
２３０  係合機構
３００  第３シリンダ
３２０ａ，４１０ａ  突起部
４００  第４シリンダ
５００  ノズル洗浄室
６１０  可撓ラック
６１２  ガイド部
６２０ユニット
６２２  駆動モータ
６２４  ギア
６３０  係合解除部
７００  ノズル支持台
【図１】
2007321427.tif 000003
【図２】
2007321427.tif 000004
【図３】
2007321427.tif 000005
【図４】
2007321427.tif 000006
【図５】
2007321427.tif 000007
【図６】
2007321427.tif 000008
【図７】
2007321427.tif 000009
【図８】
2007321427.tif 000010
【図９】
2007321427.tif 000011
【図１０】
2007321427.tif 000012
【図１１】
2007321427.tif 000013
【図１２】
2007321427.tif 000014
【図１３】
2007321427.tif 000015